(57)【要約】【課題】球通過検出手段を通過した遊技球が不正具によって球通過検出手段に向かって移動されることを常に防止することができる遊技盤ユニットを提供すること。【解決手段】この遊技盤ユニットは、球通過検出手段４０によって検出された遊技球２３を球出口より排出する球通路５０と、球通路５０における遊技球２３の通過経路を分離することにより、球通過検出手段４０を通過した遊技球２３が不正具によって球通過検出手段４０に向かって移動されることを常に阻止する逆流防止手段５１と、を備える。【選択図】図５
2011098036.tif 000002
【特許請求の範囲】
【請求項１】
遊技領域が形成される遊技盤と、
該遊技領域を流下する遊技球が流下可能な流入口と、
該流入口に流入した前記遊技球を通過させて、該遊技球の通過を検出する球通過検出手段と、
該球通過検出手段によって検出された遊技球を球出口より排出する球通路と、
前記球通路における遊技球の通過経路を分離することにより、該球通過検出手段を通過した遊技球が不正具によって前記球通過検出手段に向かって移動されることを常に阻止する逆流防止手段と、を備える遊技盤ユニット。
【請求項２】
前記逆流防止手段は、前記球通過検出手段を通過した後の遊技球を保持する複数の保持部を備えており、
前記複数の保持部は、該球通過検出手段を通過した後の遊技球を保持可能な第１位置と、該球通過検出手段を通過した後の遊技球を保持不可能な第２位置と、に移動可能に構成されており、
前記第１位置に配置された保持部に遊技球が保持されたことを契機として、該第１位置の保持部が前記第２位置に向けて移動し、他の保持部が該第１位置に向けて移動するように構成されている、請求項１に記載の遊技盤ユニット。
【請求項３】
前記逆流防止手段は、前記保持部を移動する駆動手段と、
前記保持部に遊技球が有ることを検出する球有り検出手段と、を更に備え、
前記駆動手段は、前記球有り検出手段が前記第１位置の保持部内に遊技球が有ることを検出したことを契機として、該第１位置の保持部を前記第２位置に移動し、かつ他の保持部を該第１位置に移動するように構成されている、請求項２に記載の遊技盤ユニット。
【請求項４】
前記球通路は、前記球通過検出手段を通過した後の遊技球が流入する第１球通路と、該第１球通路と分離し、かつ前記球出口が形成された第２球通路と、を更に有しており、
該第１球通路と該第２球通路との間には、隙間が形成されており、
前記逆流防止手段は、該第１球通路から該第２球通路に向かっての遊技球の通過を許容するが、該第２球通路から該第１球通路に向かっての遊技球の通過を許容しない逆流防止壁部を備えており、
該逆流防止壁部は、該第１球通路、該第２球通路、及び該第１球通路と該第２球通路との間の隙間のうち少なくともいずれかに設けられている、請求項１に記載の遊技盤ユニット。
【請求項５】
前記逆流防止手段は、前記球通路内の前記通過経路を分離する第１仕切り部及び第２仕切り部と、
該第１仕切り部及び該第２仕切り部を各々移動する駆動手段と、を備えており、
該第１仕切り部及び該第２仕切り部は、前記通過経路に侵入して該球通路内の遊技球を載置可能な第３位置と、該通過経路を開放し、該載置された遊技球が落下可能な第４位置と、に移動し、
前記第１仕切り部が前記第３位置に配置され、前記第２仕切り部が前記第４位置に配置された第１状態と、
該第１仕切り部が前記第４位置に配置され、該第２仕切り部が前記第３位置に配置された第２状態と、を交互に実現するように構成されており、
前記通過経路内には、該第１仕切り部と該第２仕切り部の少なくとも一方が常に配置されており、
該球通路に導かれた遊技球は、前記第１仕切り部と、前記第２仕切り部と、に各々一時的に載置された後に、該球通路から排出されるように構成されている、請求項１に記載の遊技盤ユニット。
【発明の詳細な説明】
【技術分野】
【０００１】
本発明は、遊技領域を流下する遊技球が流入可能な球通路を有する遊技盤ユニットに係り、特に不正具による遊技球の逆流を阻止することができる逆流防止手段を有する遊技盤ユニットに関する。
【背景技術】
【０００２】
パチンコ機等の遊技機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技球は、遊技領域上に配置された各種入賞口（入球口）に入賞したり、入賞せずにアウト口に導かれたりする。
【０００３】
各種入賞口には、遊技球の通過を検出する球通過検出手段が設けられており、この球通過検出手段による遊技球の検出を契機として所定の賞球払出しがなされる。また、球通過検出手段によって検出された遊技球は、遊技盤の背面に設けられた球通路に導かれ、球通路を通過した後に遊技機の下方に集められて、遊技済球として遊技機外に排出される。
【０００４】
球通路は、遊技機の下方に遊技球を排出するため、その球出口は開放されており、近年、球出口から球通路内に不正具が挿入される不正行為が行われている。この不正行為は、球出口から球通路内に不正具等を挿入し、球通路内の遊技球を逆流させて球通過検出手段を通過した遊技球を再度球通過検出手段によって検出させたり、不正具によって球通過検出手段を誤作動させたりして、不正に賞球の払出しをさせることにより行われる。このような不正行為がなされると、公平な遊技を実現できなくなる。
【０００５】
このような問題に鑑みて特許文献１には、入賞球を検出する検出孔を有する入賞球検出スイッチを誤作動させて賞球を不正に獲得するという不正行為を抑制するパチンコ機が記載されている。このパチンコ機は、入賞球検出スイッチの検出孔の下側に、検出孔への外部からの異物（不正具）の侵入を防止するための蓋部材を備えている。蓋部材は、定常時は付勢手段によって閉状態に保たれ、入賞時は落下してくる入賞球の重さによって開いて入賞球を通過させ、入賞球の通過後は付勢手段によって閉状態に戻るように構成されている。
【０００６】
このパチンコ機は、パチンコ機前面の下受け皿から針金等の異物が差し込まれ入賞球検出スイッチを誤作動させようとしても、閉状態にある蓋部材が検出孔への異物の侵入を邪魔するように構成されている。
【先行技術文献】
【特許文献】
【０００７】
【特許文献１】特開２００１−１４５７５６号公報
【発明の概要】
【発明が解決しようとする課題】
【０００８】
しかしながら、特許文献１に記載のパチンコ機は、遊技球が入賞していない状態では、蓋部材が閉状態であって外部から検出孔への異物の侵入を防ぐことができるが、入賞時は入賞球の重さによって蓋部材が開くため、入賞時に異物が侵入されてしまうおそれがある。したがって、異物の侵入によって入賞球検出スイッチが誤作動したり、遊技球が逆流して入賞球検出スイッチが誤作動したりして、不正に賞球が獲得されるおそれがあった。
【０００９】
本発明は、上記の事情に鑑みて為されたものであり、球通過検出手段を通過した遊技球の通過経路を分離して、球通過検出手段を通過した遊技球が不正具によって球通過検出手段に向かって移動されることを常に防止することができる遊技盤ユニットを提供することを例示的課題とする。
【課題を解決するための手段】
【００１０】
本発明の例示的な側面としての遊技盤ユニットは、遊技領域が形成される遊技盤と、遊技領域を流下する遊技球が流下可能な流入口と、流入口に流入した遊技球を通過させて、遊技球の通過を検出する球通過検出手段と、球通過検出手段によって検出された遊技球を球出口より排出する球通路と、球通路における遊技球の通過経路を分離することにより、球通過検出手段を通過した遊技球が不正具によって球通過検出手段に向かって移動されることを常に阻止する逆流防止手段と、を備える。
【００１１】
流入口は、遊技盤に形成された遊技領域を流下する遊技球が流入可能な開口部である。流入口に流入した遊技球は、球通過検出手段によって通過を検出される。球通過検出手段は、光学的又は磁気的手段等によって接触又は非接触で遊技球の通過を検出するセンサである。この球通過検出手段による検出を契機として、流入口に入球があったと判定され、所定の賞球の払出しがなされたり、所定の抽選が実行されたりするように構成される。
【００１２】
球通過検出手段を通過した遊技球は、球通路に流入する。球通路は、球通過検出手段を通過した遊技球を球出口から排出する。なお、球通路は、球通過検出手段を通過した後の遊技球が入球する構成や、球通過検出手段を備え、遊技球が通過経路を通過する過程において球通過検出手段によって遊技球の通過を検出する構成を含む概念である。
【００１３】
逆流防止手段は、球通路の通過経路を分離して、球通過検出手段を通過した遊技球が不正具によって球通過検出手段に向かって移動されることを常に阻止する。球通路内に流入した遊技球が遊技球の通過方向と逆方向に移動（逆流）すると、一旦、球通過検出手段によって検出された遊技球が再び球通過検出手段を通過して、球通過検出手段によって誤検出がなされ、賞球が獲得されてしまったり、所定の抽選がなされてしまったりして、不正行為者が利益を受けてしまうおそれがある。しかし、逆流防止手段によって遊技球の逆流を常に防止することにより、従来のように入賞時以外等の所定のタイミングに限らず、常に不正行為を防止して、遊技者に公平な遊技を提供することができる。
【００１４】
逆流防止手段は、球通路の通過経路を分離するように構成されており、例えば、球通路を複数に分割して離間して配置する構成や、１つの球通路を壁部等で分離する構成や、球通路の通過経路を非連通状態とする構成を例示することができる。更に、逆流防止手段による遊技球の逆流を防止する構成とは、球通路の球入口から球出口に向かう方向への遊技球の通過を許容するが、球出口から球入口に向かう方向への遊技球の通過を阻止する構成を例示することができる。
【００１５】
なお、逆流防止手段は、球通路と分離して設けられていてもよいし、球通路と一体化して設けられていてもよい。また、逆流防止手段は、球通路の一部を構成していてもよく、逆流防止手段が球通路の球入口や球出口として機能してもよい。
【００１６】
逆流防止手段は、球通過検出手段を通過した後の遊技球を保持する複数の保持部を備えており、複数の保持部は、球通過検出手段を通過した後の遊技球を保持可能な第１位置と、球通過検出手段を通過した後の遊技球を保持不可能な第２位置と、に移動可能に構成されており、第１位置に配置された保持部に遊技球が保持されたことを契機として、第１位置の保持部が第２位置に向けて移動し、他の保持部が第１位置に向けて移動するように構成されていてもよい。
【００１７】
球通過検出手段を通過した後の遊技球を保持する保持部を備えているため、球通路を通過する遊技球は、一旦保持部に停留された後、球出口に向けて導かれる。遊技球を一旦保持部に停留させることにより、例えば、球通路内に不正具が挿入されて遊技球が逆流された場合であっても、その逆流を保持部によって阻止することができ、逆流した遊技球が球通過検出手段に到達することを防ぐことができる。
【００１８】
更に、球通過検出手段と球出口との間に保持部が配置されるため、球通過検出手段から球入口へアクセスし難くすることができる。したがって、球出口から不正具が挿入された場合であっても、その不正具が球通過検出手段に到達し難くすることができ、不正具による球通過検出手段の誤作動を抑制することができる。
【００１９】
また、保持部は、球通過検出手段を通過した後の遊技球を保持可能な第１位置と、球通過検出手段を通過した後の遊技球を保持不可能な第２位置と、に移動するように構成されている。そして、第１位置の保持部が遊技球を保持したことを契機として、この遊技球を保持した保持部が第２位置に移動する。一方、第１位置には、他の保持部が移動するように構成されている。
【００２０】
すなわち、球通過検出手段によって検出された遊技球が流入可能な第１位置には、空の保持部を配置して、保持部が空でなくなったことを契機として第１位置から第２位置へ移動するため、遊技球を保持した保持部が第１位置に滞在する時間を短くすることができる。第１位置は、球通過検出手段を通過した遊技球が流入可能な位置であり、球通過検出手段に第２位置よりも比較的近い位置となる。
【００２１】
第１位置の保持部に遊技球があると、この遊技球が不正具によって球通過検出手段に向けて逆流されるおそれがある。しかし、保持部に流入した遊技球が球通過検出手段から離れるように保持部を移動することにより、遊技球の逆流による不正行為を更に効果的に防止することができる。
【００２２】
具体的な保持部の構成としては、回転軸を中心に同期して回転する第１保持部及び第２保持部を設ける構成を例示できる。回転軸を中心にして第１保持部と第２保持部とを１８０度ずらして配置し、第１保持部又は第２保持部に保持された遊技球の重心を回転軸とずれるようにして、第１保持部又は第２保持部に遊技球が保持されたことを契機として回転軸を中心に１８０度回転移動可能とする。
【００２３】
このように構成された保持部によれば、球通過検出手段の下流となる第１位置に第１保持部が配置された状態において、遊技球が第１保持部に流入すると、第１保持部に保持された遊技球の自重によって１８０度回転移動して、遊技球が保持されていない第２保持部を第１位置に移動して、遊技球を保持した第１保持部を、球通過検出手段からの遊技球を保持できない第２位置に移動することができる。
【００２４】
なお、ここで第２位置とは、球通過検出手段を通過した遊技球を保持できない位置であればよく、必ずしも１箇所に限られず、複数箇所を第２位置としてもよい。具体的には、球通過検出手段を通過した遊技球を保持可能な第１位置に対して左方に遊技球１個分ずれた位置を第２位置とするとともに、第１位置に対して右方に遊技球１個分ずれた位置を第２位置とする構成を例示できる。
【００２５】
更に、第１位置において遊技球を保持した保持部は、第２位置に移動する過程で保持した遊技球を放出してもよいし、第２位置に移動した後に保持した遊技球を放出してもよい。また、保持部から放出された遊技球が球通路に流入するように構成してもよいし、遊技済球として遊技機外に排出されるように構成してもよい。
【００２６】
逆流防止手段は、保持部を移動する駆動手段と、保持部に遊技球が有ることを検出する球有り検出手段と、を更に備え、駆動手段は、球有り検出手段が第１位置の保持部内に遊技球が有ることを検出したことを契機として、第１位置の保持部を第２位置に移動し、かつ他の保持部を第１位置に移動するように構成されていてもよい。
【００２７】
このように構成された遊技盤ユニットによれば、第１位置の保持部内に遊技球が有る場合にこの保持部を第１位置から第２位置に確実に移動することができる。また、第１位置の保持部に遊技球が有ることを検出した際に、この保持部を迅速に第２位置に移動することにより、第１位置の保持部に遊技球が有る状態を迅速に解消することができ、更に効果的に遊技球の逆流による不正行為を防止することができる。
【００２８】
球通路は、球通過検出手段を通過した後の遊技球が流入する第１球通路と、第１球通路と分離し、かつ球出口が形成された第２球通路と、を更に有しており、第１球通路と第２球通路との間には、隙間が形成されており、逆流防止手段は、第１球通路から第２球通路に向かっての遊技球の通過を許容するが、第２球通路から第１球通路に向かっての遊技球の通過を許容しない逆流防止壁部を備えており、逆流防止壁部は、第１球通路、第２球通路、及び第１球通路と第２球通路との間の隙間のうち少なくともいずれかに設けられていてもよい。
【００２９】
第１球通路と第２球通路との間に隙間が形成され、第１球通路と第２球通路とが物理的に分離されているため、例えば第２球通路から第１球通路に向かって遊技球が逆流しそうになった場合であっても隙間を介して遊技球を球通路外に導き、球通過検出手段への遊技球の逆流を阻止することができる。
【００３０】
また、第１球通路から第２球通路に向かっての遊技球の通過を許容するが、第２球通路から第１球通路に向かっての遊技球の通過を許容しない逆流防止壁部を備えているため、球出口に向かう方向のみ遊技球を通過させ、球通過検出手段に向かう方向への遊技球の通過を阻止し、遊技球の逆流による不正行為を防止することが可能となる。
【００３１】
具体的には、第１球通路の直下に第２球通路に向かって傾斜した逆流防止壁部としての傾斜壁部を設け、第１球通路、第２球通路、及び傾斜壁部を各々遊技球１個分以上離間させて配置する構成を例示できる。第１球通路を通過した遊技球は、傾斜壁部に落下した後、傾斜壁部に沿って第２球通路に向かって移動し、第２球通路に落下するように構成する。
【００３２】
このような構成によれば、第２球通路と傾斜壁部とが遊技球１個分以上離間しているため、不正具等によって第２球通路内の遊技球が傾斜壁部に向かって移動した場合であっても、第２球通路と傾斜壁部との隙間に遊技球を導き、第２球通路の遊技球が傾斜壁部に逆流することを防止することができる。
【００３３】
更に、傾斜壁部と第１球通路も遊技球１個分以上離間しているため、傾斜壁部上の遊技球が第１球通路に向かって逆流されることを防止することができる。したがって、球出口から球通過検出手段に向かう方向への遊技球の移動を阻止することができる。一方、球通過検出手段から球出口に向かう方向へは、遊技球の自由落下等によって円滑に遊技球を移動させることが可能となる。
【００３４】
逆流防止手段は、球通路内の通過経路を分離する第１仕切り部及び第２仕切り部と、第１仕切り部及び第２仕切り部を各々移動する駆動手段と、を備えており、第１仕切り部及び第２仕切り部は、通過経路に侵入して球通路内の遊技球を載置可能な第３位置と、通過経路を開放し、載置された遊技球が落下可能な第４位置と、に移動し、第１仕切り部が第３位置に配置され、第２仕切り部が第４位置に配置された第１状態と、第１仕切り部が第４位置に配置され、第２仕切り部が第３位置に配置された第２状態と、を交互に実現するように構成されており、通過経路内には、第１仕切り部と第２仕切り部の少なくとも一方が常に配置されており、球通路に導かれた遊技球は、第１仕切り部と、第２仕切り部と、に各々一時的に載置された後に、球通路から排出されるように構成されていてもよい。
【００３５】
このような構成によれば、第１仕切り部が球通路の通過経路に侵入し、球通路内の遊技球を載置する状態と、第２仕切り部が球通路の通過経路に侵入し、球通路内の遊技球を載置する状態と、を各々実現し、球通路内の遊技球を第１仕切り部及び第２仕切り部に一旦載置させた後、球出口に向けて導くことができる。遊技球を一旦第１仕切り部及び第２仕切り部に載置させることにより、例えば、球通路内に不正具が挿入されて遊技球が逆流された場合であっても、その逆流を第１仕切り部及び第２仕切り部によって阻止することができ、逆流した遊技球が球通過検出手段に到達することを防ぐことができる。
【００３６】
更に、通過経路内には、第１仕切り部と該第２仕切り部の少なくとも一方が常に配置されているため、第１仕切り部及び／又は第２仕切り部によって常に球通路を分離して、球出口から球通過検出手段に向けての遊技球の逆流を常に阻止することができる。
【００３７】
また、第１仕切り部が第３位置に配置され、第２仕切り部が第４位置に配置された第１状態と、第１仕切り部が第４位置に配置され、第２仕切り部が第３位置に配置された第２状態と、を交互に実現することにより、第１仕切り部によって遊技球を載置した後、この載置した遊技球を第２仕切り部によって載置させたり、第２仕切り部によって遊技球を載置させた後、この載置した遊技球を第１仕切り部によって載置させたりして、球通路に導かれた遊技球を第１仕切り部と第２仕切り部とに各々一時的に載置させた後に、球通路から排出させることができる。
【００３８】
このように複数の部材（仕切り部）によって通過経路を分離させ、常にいずれかの部材によって分離するように構成することにより、球出口から不正具が挿入された場合であっても、その不正具の侵入をいずれかの仕切り部によって阻止することができ、また球出口に到達した遊技球が球通過検出手段に向かって押圧された場合であっても、その遊技球の移動をいずれかの仕切り部によって阻止することが可能となる。したがって、球出口からのアクセスによる不正行為を防止することができる。
【００３９】
なお、第１仕切り部及び第２仕切り部は、第１状態と第２状態を実現するだけでなく、例えばいずれも第３位置に配置された第３状態も実現するように構成してもよい。更に、第４位置は、載置された遊技球が落下可能な位置であればよく、必ずしも１箇所に限られず、複数箇所を第２位置としてもよい。具体的には、第１仕切り部と第２仕切り部によって異なる位置を第４位置としてもよい。
【００４０】
本発明の更なる目的又はその他の特徴は、以下添付図面を参照して説明される好ましい実施の形態によって明らかにされるであろう。
【発明の効果】
【００４１】
本発明によれば、逆流防止手段によって遊技球の逆流を常に防止することにより、従来のように入賞時以外等の所定のタイミングに限らず、常に不正具の挿入による不正行為を防止することができる。また、球通過検出手段を通過した後の遊技球を保持する保持部を備えることにより、球通路を通過する遊技球を一旦保持部に停留させた後球出口に向けて導くことができる。よって、球通路内に不正具が挿入されて遊技球が逆流された場合であっても、その逆流を保持部によって阻止することができ、逆流した遊技球が球通過検出手段に到達することを防ぐことができる。
【００４２】
また、第１球通路から第２球通路に向かっての遊技球の通過を許容するが、第２球通路から第１球通路に向かっての遊技球の通過を許容しない逆流防止壁部を設けることにより、球出口に向かう方向のみ遊技球を通過させ、球通過検出手段に向かう方向への遊技球の通過を阻止し、遊技球の逆流による不正行為を防止することが可能となる。
【００４３】
更に、第１仕切り部及び第２仕切り部を設けることにより、球通過検出手段を通過した後の遊技球を第１仕切り部及び第２仕切り部に一旦載置させた後、球出口に向けて導くことができ、逆流した遊技球が球通過検出手段に到達することを防ぐことができる。また、球通路の通過経路内に第１仕切り部と該第２仕切り部の少なくとも一方が常に配置されるため、第１仕切り部及び／又は第２仕切り部によって常に球通路を分離して、球出口から球通過検出手段へのアクセスを常に阻止することができる。
【図面の簡単な説明】
【００４４】
【図１】本発明の実施の形態１に係るパチンコ機の正面図である。
【図２】図１に示すパチンコ機の背面図である。
【図３】図１に示すＡ−Ａ部分を模式的に示した断面図である。
【図４】図３に示す逆流防止手段及び球通路を模式的に示した斜視図である。
【図５】球通路における遊技球の通過態様を模式的に示した模式背面図である。
【図６】変形例に係る逆流防止手段及び球通路を模式的に示した背面図である。
【図７】変形例に係る球通路における遊技球の通過態様を模式的に示した背面図である。
【図８】実施の形態２に係る逆流防止手段及び球通路を模式的に示した断面図である。
【図９】実施の形態２に係る球通路における遊技球の通過態様を模式的に示した断面図である。
【図１０】実施の形態３に係る逆流防止手段及び球通路を模式的に示した断面図である。
【発明を実施するための形態】
【００４５】
＜実施の形態１＞
以下、本発明の実施の形態１について図面を用いて説明する。図１は、本発明の実施の形態１に係る遊技盤ユニット５を有するパチンコ機（遊技機）２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００４６】
パチンコ機２は、遊技者が後述する発射装置ハンドル１５を操作することによって、遊技領域１６に向けて球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００４７】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００４８】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００４９】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００５０】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００５１】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００５２】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００５３】
遊技盤ユニット５は、遊技盤の表面６ａ側の略中央に遊技役物としてのセンター役物７が配置された遊技盤６を有しており、その遊技盤の表面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００５４】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００５５】
遊技釘２７は、遊技領域１６を流下する遊技球２３と衝突してその流下方向を変更させる流下変更部材であり、多数が遊技領域１６内に配置されている。また、遊技領域１６には、始動入賞口２９、普通入賞口２８及び大入賞口４２等の入球部材、及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００５６】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されるとともに、センター役物７の中央部には、演出表示装置７ａが配置されている。
【００５７】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００５８】
演出表示装置７ａは、例えば、液晶表示装置・有機ＥＬディスプレイ・ＬＥＤ等により構成されて遊技者が遊技盤の表面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００５９】
遊技盤６の裏面６ｂ側には、パチンコ機２の全体の制御を行う遊技制御手段としての主制御基板を収容した主制御基板ケース３５と、演出表示装置７ａの画像表示の制御等を行う演出制御基板を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面６ｂ側には、パチンコ機２の遊技状態等の遊技情報を外部に出力するための外部出力端子板３９が設けられている。
【００６０】
更に遊技盤６の裏面６ｂ側には、始動入賞口２９の入球口（流入口）２９ａや普通入賞口２８の入球口（流入口）２８ａへの遊技球２３の入球を検出する第１球検出センサ（球通過検出手段）４０、第１球検出センサ４０を通過した遊技球２３が導かれる球通路５０、及び球通路５０内の遊技球２３の逆流を防止する逆流防止手段が設けられている。この球通路及び逆流防止手段等については、後述にて詳細に説明する。
【００６１】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものはゲージに衝突しつつ遊技領域１６内を下方に流下し、あるものは普通入賞口２８に流入して一定数の賞球払出しの契機となり、あるものはいずれの入球装置にも流入せずに遊技領域１６内最下部に位置するアウト口３０に流入してアウト球としてパチンコ機２の外部側へと排出される。
【００６２】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口４２が開放して多量の入賞球を受け入れ、多量の賞球が球皿１４へと払い出されるようになっている。
【００６３】
次いで、図３から図５に基づいて遊技盤６の裏面６ｂ側に設けられた逆流防止手段及び球通路について詳細に説明する。図３は、図１に示すＡ−Ａ断面図である。図４は、図３に示す逆流防止手段及び球通路を模式的に示した斜視図である。なお、図４においては説明のため遊技盤６については省略して示している。普通入賞口２８の入球口２８ａの下流には、入球口２８ａに入球した遊技球２３が導かれる入賞球通路２８ｂと、入賞球通路２８ｂからの遊技球２３を検出する第１球検出センサ４０と、第１球検出センサ４０を通過した遊技球２３が導かれる球通路５０と、が配置されている。
【００６４】
入賞球通路２８ｂは、遊技盤６を貫通して形成されており、入球口２８ａに入球した遊技球２３を遊技盤６の表面６ａ側から裏面６ｂ側に導く。入賞球通路２８ｂを通過した遊技球２３は、第１球検出センサ４０に導かれる。第１球検出センサ４０には、遊技球２３が通過可能な穴部４０ａが形成されており、この穴部４０ａを遊技球２３が通過したことを検出する。第１球検出センサ４０が遊技球２３の通過を検出すると、普通入賞口２８への入賞があったと判定され、所定の賞球の払出制御が実行される。
【００６５】
第１球検出センサ４０の穴部４０ａの下方には、球通路５０が配置されている。球通路５０は、左右方向に移動可能な保持部５１と、保持部５１から流下した遊技球２３が流入し、この遊技球２３をパチンコ機２の下方に集める集合通路５２と、によって構成されている。保持部５１は、逆流防止手段としての機能を有しており、左右に隣接して設けられた第１保持部５１ａ及び第２保持部５１ｂを備えている。
【００６６】
第１保持部５１ａ及び第２保持部５１ｂの上面は、開口形成されており、球通路５０の球入口５０ａとして機能している。球入口５０ａの下方には、第１球検出センサ４０を通過した後の遊技球２３が載置される傾斜面５１ｃが設けられている。傾斜面５１ｃは、集合通路５２に向かって傾斜しており、載置した遊技球２３を集合通路５２に導く。
【００６７】
保持部５１の下方には、駆動手段としてのモータ５３と、モータ５３によって回転駆動されるピニオン部材５４と、が設けられており、保持部５１の下面には、ピニオン部材５４と噛み合うラック部材５１ｄが形成されている。モータ５３が回転駆動することにより、ピニオン部材５４及びラック部材５１ｄを介して、保持部５１が左右方向に移動するように構成されている。
【００６８】
また、保持部５１の傾斜面５１ｃには、傾斜面５１ｃ上に遊技球２３が載置されていることを検出する第２球検出センサ（球有り検出手段）４１が設けられている。第２球検出センサ４１が傾斜面５１ｃ上に遊技球２３が有ることを検出すると、モータ５３が駆動し、保持部５１が左右方向に移動するように構成されている。
【００６９】
保持部５１は左右方向に移動することにより、第１球検出センサ４０の直下の位置であって、第１球検出センサ４０を通過した遊技球２３が流入可能な第１位置と、第１位置から左方向又は右方向にずれた位置であって、第１球検出センサ４０を通過した遊技球２３が流入不可能な第２位置と、に配置される。第１保持部５１ａと第２保持部５１ｂは、一体化しており同期して移動するため、第１保持部５１ａが第１位置の状態では第２保持部５１ｂは第２位置となり、第１保持部５１ａが第２位置の状態では第２保持部５１ｂは第１位置となる。
【００７０】
集合通路５２の上面には、第１保持部５１ａ及び第２保持部５１ｂからの遊技球２３が流入可能な開口部５２ａが形成されている。開口部５２ａには、第２位置の第１保持部５１ａからの遊技球２３と、第２位置の第２保持部５１ｂからの遊技球２３と、が流入する。開口部５２ａから集合通路５２に流入した遊技球２３は、左右方向における中央に集められつつ遊技盤６の裏面６ｂ側に導かれ、遊技盤６の裏面６ｂに沿って落下し、下端に形成された開口部から排出される。この開口部は、球通路の球出口５０ｂとして機能している。
【００７１】
次いで、図５に基づいて普通入賞口２８に入球した遊技球２３の球通路５０における通過態様について詳細に説明する。図５は、背面から遊技盤ユニット５を視認した球通路５０の模式図である。（ａ）は、第１保持部５１ａが第１位置に配置され、第２保持部が第２位置に配置されており、普通入球口２８の入球口２８ａに入球した遊技球２３が入賞球通路２８ｂから排出された状態を示している。
【００７２】
入賞球通路２８ｂから排出された遊技球２３は、第１球検出センサ４０を通過し、第１保持部５１ａの上面に形成された球入口５０ａに流入する。球入口５０ａに流入した遊技球２３は、保持部５１の傾斜面５１ｃ上に載置される。（ｂ）は、遊技球２３が傾斜面５１ｃ上に載置された状態を示している。
【００７３】
第２球検出センサ４１は、第１保持部５１ａの傾斜面５１ｃ上に遊技球２３に有ることを検出し、この検出を契機としてモータ５３が駆動し、保持部５１が左方向に移動される。（ｃ）は、第１保持部５１ａが第１位置から第２位置に向かって移動し、第２保持部５１ｂが第２位置から第１位置に向かって移動している過程を示している。
【００７４】
このように、第２球検出センサ４１によって傾斜面５１ｃ上に遊技球２３が載置されたこと検出し、この検出を契機として、遊技球２３を保持する第１保持部５１ａを第１球検出センサ４０の直下の第１位置から第２位置に移動することにより、第１球検出センサ４０の直下に遊技球２３が配されている状態を迅速に解消して、不正具を利用して遊技球２３を逆流させて賞球を獲得する不正行為を防止することができる。
【００７５】
（ｃ）に示す状態から保持部５１が更に左方向に移動すると、（ｄ）に示すように、第１保持部５１ａが第２位置に配置され、第２保持部５１ｂが第１球検出センサ４０の直下となる第１位置に配置される。保持部５１の移動が停止すると、（ｅ）に示すように、第１保持部５１ａの遊技球２３が集合通路５２に向かって落下する。集合通路５２に流入した遊技球２３は、遊技盤６の裏面に沿って流下し、球出口５０ｂから排出される。
【００７６】
このように、実施の形態１に係る球通路及び逆流防止手段は、第１球検出センサ４０を通過した後の遊技球２３を保持する保持部５１を備えるため、球通路５０を通過する遊技球２３を一旦保持部５１に停留させた後に球出口５０ｂに向けて導くことができる。よって、球通路５０内に不正具が挿入されて遊技球２３が逆流された場合であっても、その逆流を保持部５１によって阻止することができ、逆流した遊技球２３が第１球検出センサ４０に到達することを防ぐことができる。
【００７７】
更に、第１球検出センサ４０を通過した後の遊技球を、第１球検出センサ４０の直下の第１位置から第２位置へ迅速に移動することができる。第１位置の保持部に遊技球が有る状態を迅速に解消することができ、更に効果的に遊技球の逆流による不正行為を防止することができる。
【００７８】
加えて、球通路５０を構成する集合通路５２と保持部５１とが物理的に離間しているため、集合通路５２内の遊技球が逆流された場合であっても、逆流した遊技球２３が保持部５１に移動し難く、逆流した遊技球２３が第１球検出センサ４０に到達することを更に効果的に防ぐことができる。
【００７９】
以上、本発明の好ましい実施の形態１を説明したが、本発明はこれらに限定されるものではなく、その要旨の範囲内で様々な変形や変更が可能である。例えば、実施の形態１では、モータによって保持部を移動するように構成しているが、保持部に流入した遊技球の自重によって保持部を移動するように構成してもよい。
【００８０】
次いで、図６に基づいて変形例に係る逆流防止手段及び球通路について詳細に説明する。図６は、変形例に係る逆流防止手段及び球通路を模式的に示した背面図である。変形例に係る球通路１５０は、実施の形態１と同様に普通入賞口２８に入球した遊技球２３が入球するように構成されている。なお、実施の形態２において実施の形態１と同様の構成については、同符号を用いて説明を省略する。
【００８１】
球通路１５０は、入賞球通路２８ｂを通過した遊技球２３が導かれる第１球通路１５０ａと、第１球通路１５０ａと離間して配置された第２球通路１５０ｂと、を有する。第１球検出センサ４０は、第１球通路１５０ａに設けられており、第１球通路１５０ａを通過する遊技球２３を検出する。第２球通路１５０ｂは、第１球通路１５０ａの右下方に配置されており、第１球通路１５０ａと第２球通路１５０ｂとの間には、保持部１５１が設けられている。
【００８２】
保持部１５１は、回転軸１５１ｃを中心に回転する軸部１５１ｄと、軸部１５１ｄの両端部に接続された第１保持部１５１ａ及び第２保持部１５１ｂと、を有する。第１保持部１５１ａ及び第２保持部１５１ｂは、それぞれ上面に開口部１５１ｅが形成されており、回転軸１５１ｃを中心に回転移動して、第１球通路１５０ａの直下であって、第１球通路１５０ａからの遊技球２３を保持可能な第１位置と、第１球通路１５０ａからの遊技球２３を保持不可能な第２位置と、に移動する。
【００８３】
保持部１５１は、第１保持部１５１ａ又は第２保持部１５１ｂに遊技球２３が入球すると、入球した遊技球２３の自重によって図７に示す時計回り方向に１８０度回転するように構成されている。第１保持部１５１ａ及び第２保持部１５１ｂは、入球した遊技球２３の自重によって第１位置から第２位置に移動したり、第２位置から第１位置に移動したりする。
【００８４】
次いで、図７に基づいて普通入賞口２８に入球した遊技球２３の球通路１５０における通過態様について詳細に説明する。（ａ）は、第１保持部１５１ａが第１位置に配置され、第２保持部１５１ｂが第２位置に配置されており、普通入球口２８の入賞球通路２８ｂ及び第１球検出センサ４０を通過した遊技球２３が第１保持部１５１ａに入球した状態を示している。
【００８５】
第１保持部１５１ａに入球した遊技球２３の重心は、回転軸１５１ｃよりも右方向にずれており、保持部１５１は、第１保持部１５１ａに入球した遊技球２３の自重によって回転移動する。（ｂ）は、保持部１５１が回転移動している過程を示した図である。そして、第１保持部１５１ａの開口部１５１ｅが下向きになると、（ｃ）に示すように第１保持部１５１ａ内の遊技球２３が第２球通路１５０ｂに向かって落下する。第２球通路１５１ｂに落下した遊技球２３は、下端に設けられた球出口１５０ｃ（図６参照）から排出される。
【００８６】
保持部１５１は、第１保持部１５１ａ内の遊技球２３が第２球通路１５０ｂに落下した後も回転移動し、（ａ）の状態から１８０度回転し、第２保持部１５１ｂが第１位置に配置された状態で停止する。（ｄ）は、第２保持部１５１ｂが第１位置に配置された状態であり、次いで普通入賞口２８に入球した遊技球２３は第２保持部１５１ｂに入球される。
【００８７】
このように変形例に係る球通路及び逆流防止手段によれば、保持部を設ける駆動手段を備えずに、第１保持部１５１ａ又は第２保持部１５１ｂに入球された遊技球２３の自重によって保持部１５１を回転することができる。
【００８８】
また、実施の形態１と同様に、第１球検出センサ４０を通過した後の遊技球２３を保持部１５１によって一旦保持することができるため、球通路１５０内に不正具が挿入されて遊技球２３が逆流された場合であっても、その逆流を保持部１５１によって阻止することができ、逆流した遊技球２３が第１球検出センサ４０に到達することを防ぐことができる。
【００８９】
更に、第１球通路１５０ａと第２球通路１５０ｂが左右方向においてずれて配置されており、その間の保持部１５１が回転移動し、その配置が変化するため、第２球通路１５０ｂから第１球通路１５０ａに向かって不正具が挿入された場合であっても、不正具を第１球検出センサ４０に到達し難くすることができ、不正具による第１球検出センサ４０の誤作動を防止することができる。
【００９０】
＜実施の形態２＞
次いで、図８及び図９に基づいて、実施の形態２に係る球通路及び逆流防止手段について説明する。実施の形態２に係る逆流防止手段は、実施の形態１と異なり保持部を備えず、球通路の通過経路を分離する第１仕切り部２５１及び第２仕切り部２５２を備えている。実施の形態２に係る球通路２５０は、実施の形態１と同様に普通入賞口２８に入球した遊技球２３が入球するように構成されている。なお、実施の形態２において実施の形態１と同様の構成については、同符号を用いて説明を省略する。
【００９１】
図８は、背面から視認した球通路及び逆流防止手段の断面図である。普通入賞口２８に入球した遊技球２３が導かれる入賞球通路２８ｂの下流には、入賞球通路２８ｂを通過した遊技球２３を検出する第１球検出センサ４０と、第１球検出センサ４０を通過した遊技球２３が流入する球通路２５０と、が配置されている。球通路２５０には、上端において開口形成された球入口２５０ａと、下端において開口形成された球出口２５０ｂと、が設けられている。
【００９２】
球通路２５０を構成する壁部には、穴部２５０ｃが貫通して形成されており、この穴部２５０ｃを介して第１仕切り部２５１及び第２仕切り部２５２が球通路２５０内に挿入するように構成されている。第１仕切り部２５１及び第２仕切り部２５２は、穴部２５０ｃに挿入可能な２本の爪部と、２本の爪部を連結する連結部２５１ｃ，２５２ｃと、を有する。爪部は、上側の上爪部２５１ａ，２５２ａと、下側の下爪部２５１ｂ，２５２ｂと、を有し、上爪部と下爪部とは連結部２５１ｃ，２５２ｃによって一体化されている。第１仕切り部２５１は、第２仕切り部２５１よりも上方に配置されており、第１仕切り部２５１と第２仕切り部２５２との間には、遊技球２３が１球収容可能な空間が形成されている。
【００９３】
第１仕切り部２５１及び第２仕切り部２５２は、各々図示しない駆動手段と連結されており、駆動手段によって各々左右方向に移動可能に構成されている。第１仕切り部２５１と第２仕切り部２５２は、球通路２５０内に爪部が侵入した第３位置と、球通路２５０外に爪部が移動した第４位置と、に移動される。
【００９４】
次いで、図９に基づいて普通入賞口２８に入球した遊技球２３の球通路２５０における通過態様について詳細に説明する。（ａ）は、第１仕切り部２５１及び第２仕切り部２５２の爪部が球通路２５０に侵入した状態を示している。この状態においては、第１仕切り部２５１の爪部２５１ａ，２５１ｂと第２仕切り部２５２の爪部２５２ａ，２５２ｂとによって、球通路２５０の通過経路が５つの空間に分離されている。球通路２５０に流入した遊技球２３は、第１仕切り部２５１の上爪部２５１ａに載置される。
【００９５】
（ａ）の状態から第１仕切り部２５１が右方向に移動して球通路２５０外に移動すると、（ｂ）に示す状態となる。第１仕切り部２５１の上爪部２５１ａに載置された遊技球２３が落下し、第２仕切り部２５２の上爪部２５２ａに載置される。次いで、第１仕切り部２５１が左方向に移動して球通路２５０内に移動すると、（ｃ）に示す状態となる。第１仕切り部２５１と第２仕切り部２５２は、いずれも球通路２５０内に位置している。
【００９６】
次いで、第２仕切り部２５２が左方向に移動して球通路２５０外に移動すると、（ｄ）に示す状態となる。第２仕切り部２５２の上爪部２５２ａに載置されていた遊技球２３が落下して、第１仕切り部２５１の下爪部２５１ｂに載置される。
【００９７】
（ｃ）に示すように第１仕切り部２５１と第２仕切り部２５２との両方を球通路２５０内に移動した後に、（ｄ）に示すように第２仕切り部２５２を球通路２５０外へ移動することにより、落下する遊技球２３と、落下する遊技球２３を載置する爪部と、の球噛みを防止することができる。
【００９８】
そして、（ｄ）に示す状態から、第２仕切り部２５２を球通路２５０内に移動した後、第１仕切り部２５１を球通路２５０外へ移動することにより、第１仕切り部２５１の下爪部２５１ｂに載置された遊技球２３が第２仕切り部２５２の下爪部２５２ｂに載置される。次いで、第２仕切り部２５２を球通路２５０外へ移動することにより、遊技球２３を球出口２５０ｂから排出することができる。
【００９９】
このように本実施の形態２によれば、第１球検出センサ４０を通過した後の遊技球２３を第１仕切り部２５１によって一旦載置すると共に第２仕切り部２５２によって一旦載置した後に、球通路２５０から排出するため、球通路２５０の通過経路を複数に分離させて、球出口２５０ｂからの遊技球の逆流を防止することができる。
【０１００】
また、第１仕切り部２５１又は第２仕切り部２５２が常に球通路２５０内に配置されているため、球通路２５０を常に分離して、球出口２５０ｂから第１球検出センサ４０へのアクセスを阻止することができる。
【０１０１】
＜実施の形態３＞
実施の形態３は、逆流防止手段として逆流防止壁部を備えた実施の形態である。図１０は、実施の形態３に係る球通路及び逆流防止壁部を背面から視認した断面模式図である。実施の形態３に係る球通路３５０は、実施の形態１及び実施の形態２と同様に、普通入賞口２８の入賞球通路２８ｂを通過した遊技球２３が流入するように構成されている。
【０１０２】
球通路３５０は、第１球検出センサ４０の直下に配置された第１球通路３５０ａと、第１球通路３５０ａと離間して設けられた第２球通路３５０ｂと、を有している。第１球通路３５０ａの下方には、逆流防止壁部としての傾斜壁部３５１が設けられている。傾斜壁部３５１は、第２球通路３５０ｂに向かって下降するように傾斜しており、第１球通路３５０ａから落下した遊技球２３の第２球通路３５０ｂへの通過を許容するが、第２球通路３５０ｂから第１球通路３５０ａへの遊技球２３の通過を許容しないように構成されている。
【０１０３】
また、傾斜壁部３５１は、第１球通路３５０ａ及び第２球通路３５０ｂに対して離間しており、第２球通路３５０ｂと傾斜壁部３５１との隙間の距離Ｘと、傾斜壁部３５１と第１球通路３５０ａとの隙間の距離Ｙと、が、遊技球２３の直径より大きくなるように配置されている。更に、第１球通路３５０ａから傾斜壁部３５１に向かう遊技球２３の通過方向と、傾斜壁部３５１から第２球通路３５０ｂに向かう遊技球２３の通過方向と、が異なっている。
【０１０４】
このような構成によれば、第２球通路３５０ｂの下端に設けられた球出口３５０ｃから不正具が挿入されて、第２球通路３５０ｂの遊技球２３が逆流（上方に移動）されても、その遊技球２３を第２球通路３５０ｂと傾斜壁部３５１との間から落下させることができる。
【０１０５】
また、球出口３５０ｃから挿入された不正具が傾斜壁部３５１に到達し、傾斜壁部３５１から第１球通路３５０ａへ向かって遊技球２３が押圧されても、傾斜壁部３５１から第１球通路３５０ａへ向けて遊技球２３が逆流することを阻止することができる。
【０１０６】
このように実施の形態３に係る球通路及び逆流防止手段によっても、球通路５０内に不正具が挿入されて遊技球２３が逆流された場合において、その逆流を阻止することができ、逆流した遊技球２３が第１球検出センサ４０に到達することを防ぐことができる。
【符号の説明】
【０１０７】
２：パチンコ機（遊技機）
３：遊技機枠
４：外枠
５：遊技盤ユニット
６：遊技盤
６ａ：表面
６ｂ：裏面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２６：レール飾り
２６ａ：外レール
２７：遊技釘
２８：普通入賞口
２８ａ：入球口（流入口）
２８ｂ：入賞球通路
２９：始動入賞口
２９ａ：入球口（流入口）
３０：アウト口
３２：装飾部材
３３：ゲート
３４：風車
３５：主制御基板ケース
３６：演出制御基板ケース
３７：払出制御基板ケース
３８：電源基板ケース
３９：外部出力端子板
４０：第１球検出センサ（球通過検出手段）
４０ａ：穴部
４１：第２球検出センサ（球有り検出手段）
４２：大入賞口
５０：球通路
５０ａ：球入口
５０ｂ：球出口
５１：保持部（逆流防止手段）
５１ａ：第１保持部
５１ｂ：第２保持部
５１ｃ：傾斜面
５１ｄ：ラック部材
５２：集合通路
５２ａ：開口部
５３:モータ
５４：ピニオン部材
１５０：球通路
１５０ａ：第１球通路
１５０ｂ：第２球通路
１５０ｃ：球出口
１５１：保持部（逆流防止手段）
１５１ａ：第１保持部
１５１ｂ：第２保持部
１５１ｃ：回転軸
１５１ｄ：軸部
１５１ｅ：開口部
２５０：球通路
２５０ａ：球入口
２５０ｂ：球出口
２５０ｃ：穴部
２５１：第１仕切り部（逆流防止手段）
２５１ａ：上爪部
２５１ｂ：下爪部
２５１ｃ：連結部
２５２：第２仕切り部（逆流防止手段）
２５２ａ：上爪部
２５２ｂ：下爪部
２５２ｃ：連結部
３５０：球通路
３５０ａ：第１球通路
３５０ｂ：第２球通路
３５０ｃ：球出口
３５１：傾斜壁部（逆流防止壁部）
【図１】
2011098036.tif 000003
【図２】
2011098036.tif 000004
【図３】
2011098036.tif 000005
【図４】
2011098036.tif 000006
【図５】
2011098036.tif 000007
【図６】
2011098036.tif 000008
【図７】
2011098036.tif 000009
【図８】
2011098036.tif 000010
【図９】
2011098036.tif 000011
【図１０】
2011098036.tif 000012